(57)【要約】      （修正有）【課題】電子書籍を貸し出すためのプログラムを提供することを目的とする。【解決手段】コンピュータに、貸し出しの対象となっている電子書籍コンテンツを特定するための書籍情報を取得させるステップと、取得した書籍情報に対応する第１決済用情報を携帯端末１の表示部１１に表示させるステップと、第１決済用情報を表示部１１に表示させた後に、書籍情報に対応する電子書籍コンテンツを取得するステップと、取得した電子書籍コンテンツを表示部１１に表示させるための閲覧操作を受け付けるステップと、電子書籍コンテンツを取得してから所定の閲覧可能時間が経過するまでの間、閲覧操作を受け付けたことに応じて、電子書籍コンテンツを表示部１１に表示させるステップと、を実行する。【選択図】図２
2018139056.tif 000002
【特許請求の範囲】
【請求項１】
コンピュータに、
貸し出しの対象となっている電子書籍コンテンツを特定するための書籍情報を取得するステップと、
取得した前記書籍情報に対応する第１決済用情報を携帯端末の表示部に表示させるステップと、
前記第１決済用情報を前記表示部に表示させた後に、前記書籍情報に対応する電子書籍コンテンツを取得するステップと、
取得した前記電子書籍コンテンツを前記表示部に表示させるための閲覧操作を受け付けるステップと、
前記電子書籍コンテンツを取得してから所定の閲覧可能時間が経過するまでの間、前記閲覧操作を受け付けたことに応じて、前記電子書籍コンテンツを前記表示部に表示させるステップと、
を実行させるためのプログラム。
【請求項２】
前記電子書籍コンテンツを取得するステップにおいて、前記電子書籍コンテンツを記憶しているサーバが前記第１決済用情報に基づいて前記電子書籍コンテンツの取得を許可した後に、前記書籍情報に対応する電子書籍コンテンツを取得する、
請求項１に記載のプログラム。
【請求項３】
貸し出しの対象となっている複数の電子書籍コンテンツから一以上の電子書籍コンテンツを選択するための選択画面を前記表示部に表示させるステップをさらに有し、
前記第１決済用情報を表示部に表示させるステップにおいて、前記選択画面において選択された前記一以上の電子書籍コンテンツに対応する前記第１決済用情報を前記表示部に表示させる、
請求項１又は２に記載のプログラム。
【請求項４】
貸し出しの対象となっている電子書籍コンテンツを特定するための特定用情報を読み取るステップをさらに有し、
前記書籍情報を取得するステップにおいて、読み取った前記特定用情報に対応する書籍情報を取得する、
請求項１又は２に記載のプログラム。
【請求項５】
読み取った一つの前記特定用情報に対応する複数の電子書籍コンテンツから一以上の電子書籍コンテンツを選択するための選択画面を前記表示部に表示させるステップをさらに有し、
前記書籍情報を取得するステップにおいて、前記選択画面において選択された前記一以上の電子書籍コンテンツの前記書籍情報を取得する、
請求項４に記載のプログラム。
【請求項６】
前記携帯端末が前記書籍情報を取得できる位置から所定の範囲内に存在することを検出するステップをさらに有し、
前記携帯端末が前記書籍情報を取得できる位置から所定の範囲内に存在することを検出した場合に、前記書籍情報を取得するステップにおいて、前記書籍情報を取得するための画面を前記表示部に表示させる、
請求項１から５のいずれか一項に記載のプログラム。
【請求項７】
前記閲覧可能時間が経過した後に、前記閲覧可能時間を延長するための第２決済用情報を前記表示部に表示させるステップをさらに有する、
請求項１から６のいずれか一項に記載のプログラム。
【請求項８】
前記第２決済用情報を前記表示部に表示させるステップにおいて、前記第１決済用情報が示す料金よりも高い料金に対応する前記第２決済用情報を前記表示部に表示させる、
請求項７に記載のプログラム。
【請求項９】
前記携帯端末が存在する店舗を特定するステップをさらに有し、
前記書籍情報を取得するステップにおいて、特定した前記店舗において貸し出しの対象となっている電子書籍コンテンツの前記書籍情報を取得する、
請求項１から８のいずれか一項に記載のプログラム。
【請求項１０】
前記携帯端末の状態を検出するステップをさらに有し、
前記電子書籍コンテンツを前記表示部に表示させるステップの後に、前記携帯端末のユーザが歩いていることを検出した場合、前記電子書籍コンテンツの前記表示部への表示を停止するとともに、前記携帯端末のユーザが歩いていることを検出した時間を前記閲覧可能時間に加算する、
請求項１から９のいずれか一項に記載のプログラム。
【請求項１１】
携帯端末と、決済装置と、サーバと、を備える電子書籍レンタルシステムであって、
前記携帯端末は、
貸し出しの対象となっている電子書籍コンテンツを特定するための書籍情報を取得する情報取得部と、
前記情報取得部が取得した前記書籍情報に対応する第１決済用情報を表示部に表示させる表示制御部と、
を有し、
前記決済装置は、
前記携帯端末の表示部に表示された前記第１決済用情報を読み取る読み取り部と、
前記読み取り部が読み取った前記第１決済用情報に対応する金額の支払いが完了したことを示す第１決済完了情報を前記サーバに送信する送信部と、
を有し、
前記サーバは、
前記第１決済完了情報を受信する受信部と、
前記受信部が前記第１決済完了情報を受信したことに応じて、前記携帯端末において選択された一以上の書籍情報に対応する電子書籍コンテンツを、所定の閲覧可能時間が経過するまでの間、前記携帯端末が表示することを許可する許可制御部と、
を有する電子書籍レンタルシステム。
【請求項１２】
前記許可制御部は、前記携帯端末が、選択された前記書籍情報に対応する前記電子書籍コンテンツを表示する前において、前記閲覧可能時間より長い開封可能時間が経過するまでの間、前記携帯端末が当該電子書籍コンテンツの表示を開始することを許可する、
請求項１１に記載の電子書籍レンタルシステム。
【請求項１３】
前記携帯端末は、前記表示制御部が前記第１決済用情報を表示した後に、前記書籍情報に対応する電子書籍コンテンツを取得するコンテンツ取得部と、
前記コンテンツ取得部が取得した前記電子書籍コンテンツを前記表示部に表示させるための閲覧操作を受け付ける操作受付部と、をさらに有し、
前記表示制御部は、前記コンテンツ取得部が前記電子書籍コンテンツを取得してから前記閲覧可能時間が経過するまでの間、前記操作受付部が前記閲覧操作を受け付けたことに応じて、前記電子書籍コンテンツを前記表示部に表示させ、前記閲覧可能時間が経過した後に、前記閲覧可能時間を延長するための第２決済用情報を前記表示部に表示させ、
前記送信部は、前記読み取り部が読み取った前記第２決済用情報に対応する金額の支払いが完了したことを示す第２決済完了情報を前記サーバに送信し、
前記許可制御部は、前記受信部が前記第２決済完了情報を受信したことに応じて、前記携帯端末が前記電子書籍コンテンツを表示できる時間を延長する、
請求項１１又は１２に記載の電子書籍レンタルシステム。
【請求項１４】
前記許可制御部は、前記受信部が前記第２決済完了情報を受信したことに応じて、前記携帯端末が前記電子書籍コンテンツに関連付けられた他の電子書籍コンテンツを表示することを許可する、
請求項１３に記載の電子書籍レンタルシステム。
【請求項１５】
前記許可制御部は、前記電子書籍コンテンツに関連付けられた前記所定の閲覧可能時間が経過するまでの間、前記携帯端末が前記電子書籍コンテンツを表示することを許可する、
請求項１１から１４のいずれか一項に記載の電子書籍レンタルシステム。
【請求項１６】
前記許可制御部は、前記電子書籍コンテンツに関連付けられたページ又はページ数が閲覧されるまでの間、前記携帯端末が前記電子書籍コンテンツを表示することを許可する、
請求項１１から１４のいずれか一項に記載の電子書籍レンタルシステム。
【請求項１７】
携帯端末が、貸し出しの対象となっている電子書籍コンテンツを特定するための書籍情報を取得するステップと、
取得した前記書籍情報に対応する第１決済用情報を前記携帯端末の表示部に表示させるステップと、
決済装置が、前記携帯端末の表示部に表示された前記第１決済用情報を読み取るステップと、
前記決済装置が読み取った前記第１決済用情報に対応する金額の支払いが完了したことを示す第１決済完了情報をサーバに送信するステップと、
前記サーバが前記第１決済完了情報を受信したことに応じて、前記携帯端末において選択された一以上の書籍情報に対応する電子書籍コンテンツを、所定の閲覧可能時間が経過するまでの間、前記携帯端末が表示することを許可するステップと、
を有する電子書籍レンタル方法。
【請求項１８】
貸し出しの対象となっている電子書籍コンテンツを特定するための書籍情報を取得する情報取得部と、
前記情報取得部が取得した前記書籍情報に対応する第１決済用情報を表示部に表示させる表示制御部と、
前記表示制御部が前記第１決済用情報を表示した後に、前記書籍情報に対応する電子書籍コンテンツを取得するコンテンツ取得部と、
前記コンテンツ取得部が取得した前記電子書籍コンテンツを前記表示部に表示させるための閲覧操作を受け付ける操作受付部と、
を有し、
前記表示制御部は、前記コンテンツ取得部が前記電子書籍コンテンツを取得してから所定の閲覧可能時間が経過するまでの間、前記操作受付部が前記閲覧操作を受け付けたことに応じて、前記電子書籍コンテンツを前記表示部に表示させる、
携帯端末。
【発明の詳細な説明】
【技術分野】
【０００１】
本発明は、電子書籍を閲覧するためのプログラム、電子書籍レンタルシステム、携帯端末及び電子書籍レンタル方法に関する。
【背景技術】
【０００２】
近年、スマートフォン等の携帯端末を用いて紙媒体を使用せずに閲覧可能な電子書籍が普及している。このような電子書籍は、紙媒体の書籍に比べて、持ち運びに適している。例えば、特許文献１には、ネットワークを介して取得した電子書籍を携帯端末により表示させることが記載されている。
【先行技術文献】
【特許文献】
【０００３】
【特許文献１】特開２０１６−２００８７６号公報
【発明の概要】
【発明が解決しようとする課題】
【０００４】
ところで、従来、書籍の貸し出しが広く行われている。ユーザは、書籍を貸し出す店舗において書籍をレンタルする場合、書籍を購入する場合に比べて安価に書籍を閲覧することが可能である。しかしながら、店舗においてユーザが貸し出しを希望する書籍が他のユーザに貸し出されている場合、ユーザは、書籍が返却されるのを待つ必要があった。書籍が返却されるのを待つ代わりに、ユーザは、他の店で書籍を購入したり、端末を用いて電子書籍を購入したりすることが可能であるが、レンタルをしたいと考えているユーザにとって望ましい解決方法ではなかった。
【０００５】
そこで、本発明はこの点に鑑みてなされたものであり、書籍が貸し出し中であっても、代わりになる電子書籍を貸し出すためのプログラムを提供することを目的とする。
【課題を解決するための手段】
【０００６】
本発明の第１の態様のプログラムは、コンピュータに、貸し出しの対象となっている電子書籍コンテンツを特定するための書籍情報を取得するステップと、取得した前記書籍情報に対応する第１決済用情報を携帯端末の表示部に表示させるステップと、前記第１決済用情報を前記表示部に表示させた後に、前記書籍情報に対応する電子書籍コンテンツを取得するステップと、取得した前記電子書籍コンテンツを前記表示部に表示させるための閲覧操作を受け付けるステップと、前記電子書籍コンテンツを取得してから所定の閲覧可能時間が経過するまでの間、前記閲覧操作を受け付けたことに応じて、前記電子書籍コンテンツを前記表示部に表示させるステップと、を実行させる。
【０００７】
前記プログラムは、前記電子書籍コンテンツを取得するステップにおいて、前記電子書籍コンテンツを記憶しているサーバが前記第１決済用情報に基づいて前記電子書籍コンテンツの取得を許可した後に、前記書籍情報に対応する電子書籍コンテンツを取得してもよい。
【０００８】
前記プログラムは、貸し出しの対象となっている複数の電子書籍コンテンツから一以上の電子書籍コンテンツを選択するための選択画面を前記表示部に表示させるステップをさらに有し、前記第１決済用情報を表示部に表示させるステップにおいて、前記選択画面において選択された前記一以上の電子書籍コンテンツに対応する前記第１決済用情報を前記表示部に表示させてもよい。
【０００９】
前記プログラムは、貸し出しの対象となっている電子書籍コンテンツを特定するための特定用情報を読み取るステップをさらに有し、前記書籍情報を取得するステップにおいて、読み取った前記特定用情報に対応する書籍情報を取得してもよい。
【００１０】
前記プログラムは、読み取った一つの前記特定用情報に対応する複数の電子書籍コンテンツから一以上の電子書籍コンテンツを選択するための選択画面を前記表示部に表示させるステップをさらに有し、前記書籍情報を取得するステップにおいて、前記選択画面において選択された前記一以上の電子書籍コンテンツの前記書籍情報を取得してもよい。
【００１１】
前記プログラムは、前記携帯端末が前記書籍情報を取得できる位置から所定の範囲内に存在することを検出するステップをさらに有し、前記携帯端末が前記書籍情報を取得できる位置から所定の範囲内に存在することを検出した場合に、前記書籍情報を取得するステップにおいて、前記書籍情報を取得するための画面を前記表示部に表示させてもよい。
【００１２】
前記プログラムは、前記閲覧可能時間が経過した後に、前記閲覧可能時間を延長するための第２決済用情報を前記表示部に表示させるステップをさらに有してもよい。前記プログラムは、前記第２決済用情報を前記表示部に表示させるステップにおいて、前記第１決済用情報が示す料金よりも高い料金に対応する前記第２決済用情報を前記表示部に表示させてもよい。
【００１３】
前記プログラムは、前記携帯端末が存在する店舗を特定するステップをさらに有し、前記書籍情報を取得するステップにおいて、特定した前記店舗において貸し出しの対象となっている電子書籍コンテンツの前記書籍情報を取得してもよい。
【００１４】
前記プログラムは、前記携帯端末の状態を検出するステップをさらに有し、前記電子書籍コンテンツを前記表示部に表示させるステップの後に、前記携帯端末のユーザが歩いていることを検出した場合、前記電子書籍コンテンツの前記表示部への表示を停止するとともに、前記携帯端末のユーザが歩いていることを検出した時間を前記閲覧可能時間に加算してもよい。
【００１５】
本発明の第２の態様の電子書籍レンタルシステムは、携帯端末と、決済装置と、サーバと、を備える電子書籍レンタルシステムであって、前記携帯端末は、貸し出し可能な電子書籍コンテンツを特定するための書籍情報を取得する情報取得部と、前記情報取得部が取得した前記書籍情報に対応する第１決済用情報を表示部に表示させる表示制御部と、を有し、前記決済装置は、前記携帯端末の表示部に表示された前記第１決済用情報を読み取る読み取り部と、前記読み取り部が読み取った前記第１決済用情報に対応する金額の支払いが完了したことを示す第１決済完了情報を前記サーバに送信する送信部と、を有し、前記サーバは、前記第１決済完了情報を受信する受信部と、前記受信部が前記第１決済完了情報を受信したことに応じて、前記携帯端末において選択された一以上の書籍情報に対応する電子書籍コンテンツを、所定の閲覧可能時間が経過するまでの間、前記携帯端末が表示することを許可する許可制御部と、を有する。
【００１６】
前記許可制御部は、前記携帯端末が、選択された前記書籍情報に対応する前記電子書籍コンテンツを表示する前において、前記閲覧可能時間より長い開封可能時間が経過するまでの間、前記携帯端末が当該電子書籍コンテンツの表示を開始することを許可してもよい。
【００１７】
前記携帯端末は、前記表示制御部が前記第１決済用情報を表示した後に、前記書籍情報に対応する電子書籍コンテンツを取得するコンテンツ取得部と、前記コンテンツ取得部が取得した前記電子書籍コンテンツを前記表示部に表示させるための閲覧操作を受け付ける操作受付部と、をさらに有し、前記表示制御部は、前記コンテンツ取得部が前記電子書籍コンテンツを取得してから前記閲覧可能時間が経過するまでの間、前記操作受付部が前記閲覧操作を受け付けたことに応じて、前記電子書籍コンテンツを前記表示部に表示させ、前記閲覧可能時間が経過した後に、前記閲覧可能時間を延長するための第２決済用情報を前記表示部に表示させ、前記送信部は、前記読み取り部が読み取った前記第２決済用情報に対応する金額の支払いが完了したことを示す第２決済完了情報を前記サーバに送信し、前記許可制御部は、前記受信部が前記第２決済完了情報を受信したことに応じて、前記携帯端末が前記電子書籍コンテンツを表示できる時間を延長してもよい。
【００１８】
前記許可制御部は、前記受信部が前記第２決済完了情報を受信したことに応じて、前記携帯端末が前記電子書籍コンテンツに関連付けられた他の電子書籍コンテンツを表示することを許可してもよい。
【００１９】
前記許可制御部は、前記電子書籍コンテンツに関連付けられた前記所定の閲覧可能時間が経過するまでの間、前記携帯端末が前記電子書籍コンテンツを表示することを許可してもよい。
【００２０】
前記許可制御部は、前記電子書籍コンテンツに関連付けられたページ又はページ数が閲覧されるまでの間、前記携帯端末が前記電子書籍コンテンツを表示することを許可してもよい。
【００２１】
本発明の第３の態様の電子書籍レンタル方法は、携帯端末が、貸し出しの対象となっている電子書籍コンテンツを特定するための書籍情報を取得するステップと、取得した前記書籍情報に対応する第１決済用情報を前記携帯端末の表示部に表示させるステップと、決済装置が、前記携帯端末の表示部に表示された前記第１決済用情報を読み取るステップと、前記決済装置が読み取った前記第１決済用情報に対応する金額の支払いが完了したことを示す第１決済完了情報をサーバに送信するステップと、前記サーバが前記第１決済完了情報を受信したことに応じて、前記携帯端末において選択された一以上の書籍情報に対応する電子書籍コンテンツを、所定の閲覧可能時間が経過するまでの間、前記携帯端末が表示することを許可するステップと、を有する。
【００２２】
本発明の第４の態様の携帯端末は、貸し出しの対象となっている電子書籍コンテンツを特定するための書籍情報を取得する情報取得部と、前記情報取得部が取得した前記書籍情報に対応する第１決済用情報を表示部に表示させる表示制御部と、前記表示制御部が前記第１決済用情報を表示した後に、前記書籍情報に対応する電子書籍コンテンツを取得するコンテンツ取得部と、前記コンテンツ取得部が取得した前記電子書籍コンテンツを前記表示部に表示させるための閲覧操作を受け付ける操作受付部と、を有し、前記表示制御部は、前記コンテンツ取得部が前記電子書籍コンテンツを取得してから所定の閲覧可能時間が経過するまでの間、前記操作受付部が前記閲覧操作を受け付けたことに応じて、前記電子書籍コンテンツを前記表示部に表示させる。
【発明の効果】
【００２３】
本発明によれば、電子書籍を貸し出すことができるという効果を奏する。
【図面の簡単な説明】
【００２４】
【図１】電子書籍レンタルシステムの構成を示す図である。
【図２】携帯端末の構成を示す図である。
【図３】特定用情報の例を示す図である。
【図４】決済端末の構成を示す図である。
【図５】サーバの構成を示す図である。
【図６】電子書籍コンテンツを閲覧可能な期間を説明するためのタイムチャートである。
【図７】通信制御部が電子書籍コンテンツのページデータを送信する処理のフローチャートである。
【図８】電子書籍レンタルシステムにおける動作シーケンスを示す図である。
【図９】実施の形態２の携帯端末の動作の説明するためのフローチャートである。
【図１０】実施の形態３の電子書籍レンタルシステムにおける動作シーケンスを示す図である。
【図１１】実施の形態４の電子書籍レンタルシステムにおける動作シーケンスを示す図である。
【発明を実施するための形態】
【００２５】
＜実施の形態１＞
［電子書籍レンタルシステム］
図１は、電子書籍レンタルシステムＳの構成を示す図である。電子書籍レンタルシステムＳは、ユーザが、店舗内において電子書籍コンテンツをレンタルするために用いられる。店舗は、例えば、紙媒体の書籍の貸し出しを行うための店舗であり、紙媒体の書籍の貸し出しに加えて、電子書籍コンテンツの貸し出しを行う。「電子書籍コンテンツの貸し出し」とは、閲覧できる期間に制限を設けた状態で電子書籍コンテンツを閲覧可能にすることをいう。電子書籍レンタルシステムＳでは、携帯端末１と、決済端末２と、サーバ３とがネットワーク４を介して互いに接続されている。ネットワーク４は、例えばＬＡＮ（Local Area Network）又はＷＡＮ（Wide Area Network）を含む。
【００２６】
携帯端末１は、無線通信により、ネットワーク４を介してサーバ３と通信可能な端末であり、例えば、スマートフォン又はタブレット端末である。携帯端末１は、ネットワーク４を介してサーバ３から、貸し出しを希望する一以上の電子書籍コンテンツの貸し出し料金を決済するための決済用情報Ｃ１を取得し、表示画面に決済用情報Ｃ１を表示させる。決済用情報Ｃ１は、例えば、バーコード又はＱＲコード（登録商標）であり、一以上の電子書籍コンテンツの書籍情報や貸し出し料金を含んでいる。書籍情報は、例えば、電子書籍のタイトルや識別ＩＤである。貸し出し料金は、例えば、電子書籍コンテンツを数時間だけレンタルするための料金である。貸し出し料金は、電子書籍コンテンツによって異なる料金が設定されており、通常料金は例えば３時間で６０円であるが、人気の高い電子書籍コンテンツの料金は通常料金よりも高く、例えば３０分で１００円に設定されている。
【００２７】
決済端末２は、電子書籍コンテンツの貸し出しを行うための端末であり、例えば、店舗の対面式のレジに設置されたＰＯＳ（Point of sale system）端末である。決済端末２は、携帯端末１の表示画面に表示された決済用情報Ｃ１を読み取ることにより、貸し出しする電子書籍コンテンツと貸し出し料金とを特定する。決済端末２を操作する店舗のスタッフは、携帯端末１のユーザへ貸し出し料金を請求し、ユーザから貸し出し料金を受け取る。決済端末２は、ユーザから貸し出し料金を受け取ったことを示す操作が行われた場合に、ネットワーク４を介して、一以上の電子書籍コンテンツの貸し出し料金の支払いが完了したことを示す決済完了情報Ｐ１をサーバ３へ送信する。
【００２８】
サーバ３は、電子書籍コンテンツを保持する。サーバ３は、携帯端末１から電子書籍コンテンツの決済用情報Ｃ１を要求する決済用情報要求を受信した場合に、当該決済用情報Ｃ１を携帯端末１へ送信する。また、サーバ３は、電子書籍コンテンツの貸し出し料金の決済完了情報Ｐ１を受信した後に、電子書籍コンテンツを携帯端末１へ送信する。
【００２９】
［携帯端末１］
図２は、図１の携帯端末１の構成を示す図である。携帯端末１は、表示部１１と、操作部１２と、カメラ１３と、状態検出センサ１４と、通信部１５と、記憶部１６と、制御部１７とを有する。制御部１７は、操作受付部１７１と、取得部１７２と、検出部１７３と、通信制御部１７４と、表示制御部１７５とを有する。
【００３０】
表示部１１は、表示制御部１７５から入力される表示用データを表示するディスプレイであり、例えば、電子書籍コンテンツの決済用情報Ｃ１を表示する。操作部１２は、ユーザが操作入力を行うためのデバイスである。操作部１２は、表示部１１の表面に設けられたタッチパネルをさらに有する。操作部１２は、ユーザの操作内容に応じた信号を操作受付部１７１に通知する。
【００３１】
カメラ１３は、撮像センサにより被写体の画像を生成する画像生成部である。カメラ１３は、貸し出しの対象となっている電子書籍コンテンツを特定するための特定用情報を読み取る。特定用情報は、例えばバーコードであり、電子書籍コンテンツを特定するための書籍情報を格納する。
【００３２】
例えば、紙媒体の書籍の貸し出しも行っている店舗の場合、カメラ１３は、図３（ａ）に示すように、貸し出し用の紙媒体の書籍を収容するためのレスペックＡ１の外側面に貼付された特定用情報を読み取る。レスペックＡ１には、紙媒体の書籍を収容するための開口部Ｏが形成されている。ユーザはレスペックＡ１内に書籍が収容されている場合には、この書籍をレンタルすることができるが、例えば、レスペックＡ１内に収容されている書籍が貸し出し中である場合に、レスペックＡ１に貼付された特定用情報をカメラ１３により読み取ることにより、レスペックＡ１に収容される書籍と同一のタイトルの電子書籍コンテンツをレンタルすることができる。なお、カメラ１３は、図３（ｂ）に示すように、電子書籍コンテンツの代わりに店舗内に陳列された札であるトークンＡ２に記載された特定用情報を読み取る構成であってもよい。
【００３３】
状態検出センサ１４は、携帯端末１の状態を検出するセンサであり、例えば、携帯端末１の振動を検出する振動センサである。通信部１５は、無線通信回線を用いて通信するための電波を送受信する通信モジュールである。通信部１５は、通信制御部１７４から入力される送信データを変調する変調器、及び変調後のデータを、例えばＬＴＥに割り当てられている周波数帯の高周波信号として送信する高周波部を有する。また、通信部１５は、高周波部が受信した高周波信号を復調する復調器を有する。復調器は、復調後の受信データを通信制御部１７４に入力する。また、通信部１５は、ＬＴＥと同様に、Ｂｌｕｅｔｏｏｔｈ（登録商標）等の近距離無線通信に割り当てられている周波数帯の信号を送受信する。
【００３４】
記憶部１６は、ＲＯＭ（Read Only Memory）及びＲＡＭ（Random Access Memory）等を含む記憶媒体である。記憶部１６は、制御部１７が実行するプログラムを記憶している。また、記憶部１６は、制御部１７のワークメモリとして使用される。
【００３５】
制御部１７は、例えばＣＰＵ（Central Processing Unit）であり、記憶部１６に記憶されたプログラムを実行することにより、各種の機能を実行する。操作受付部１７１は、操作部１２から入力される操作内容を示す信号に基づいて、ユーザの操作内容を特定する。例えば、操作受付部１７１は、電子書籍コンテンツを表示部１１に表示させるための閲覧操作を受け付ける。
【００３６】
取得部１７２は、貸し出しの対象となっている電子書籍コンテンツを特定するための書籍情報を取得する。取得部１７２は、例えば、カメラ１３により読み取った特定用情報を解析することにより、この特定用情報に対応する書籍情報を取得する。また、取得部１７２は、取得した書籍情報に対応する電子書籍コンテンツを取得するための決済用情報Ｃ１を要求する決済用情報要求をサーバ３へ通信部１５により送信する。さらに、取得部１７２は、この決済用情報要求に応答してサーバ３が送信する決済用情報Ｃ１を通信部１５により受信させる。取得部１７２は、カメラ１３が複数の特定用情報を読み取った場合には、複数の書籍情報に対応する電子書籍コンテンツを一括して決済するための一の決済用情報Ｃ１をサーバ３から通信部１５により取得する。
【００３７】
また、表示部１１が決済用情報Ｃ１を表示した後、取得部１７２は、ユーザによる貸し出し料金の支払いが完了した場合に、決済用情報Ｃ１に対応する一以上の電子書籍コンテンツをサーバ３から無線通信回線を介して通信部１５によりそれぞれ受信させる。より詳しくは、取得部１７２は、操作受付部１７１がユーザによる電子書籍コンテンツの閲覧操作を受け付けた場合に、電子書籍コンテンツのページデータを取得するためのコンテンツ取得要求を通信部１５によりサーバ３へ送信させる。さらに、取得部１７２は、サーバ３がこの取得要求に応答して送信した電子書籍コンテンツのページデータを通信部１５により受信させる。
【００３８】
ユーザの閲覧操作は、例えば、表示部１１に電子書籍コンテンツの表示を開始させる操作や、電子書籍コンテンツの閲覧中に次のページを表示させる操作である。取得部１７２は、操作受付部１７１が電子書籍コンテンツの表示を開始させる操作を受け付けた場合に、電子書籍コンテンツのうち、最初の数ページをサーバ３から取得する。また、取得部１７２は、操作受付部１７１が電子書籍コンテンツの閲覧中に次のページを表示させる操作を受け付けた場合に、ユーザが閲覧中のページの前後の数ページをサーバ３から取得する。取得部１７２は、電子書籍コンテンツの閲覧中にサーバ３から逐次に電子書籍コンテンツのページデータを取得するため、電子書籍コンテンツの閲覧終了後には、電子書籍コンテンツのページデータを記憶部１６に保持させることなく消去する。
【００３９】
検出部１７３は、携帯端末１が書籍情報を取得できる位置から所定の範囲内に存在することを検出する。検出部１７３は、図示しないビーコン送信装置がＢｌｕｅｔｏｏｔｈにより送信する近距離無線信号であるビーコンを監視し、ビーコン送信装置から送信されるビーコンを通信部１５が受信した場合に、携帯端末１が書籍情報を取得できる位置から所定の範囲内に存在すると判定する。書籍情報を取得できる位置から所定の範囲内とは、例えば、カメラ１３によりレスペック等に貼付された特定用情報を読み取り可能な位置である。ビーコン送信装置は、例えば、店舗内の電子書籍の貸本コーナーに配置され、カメラ１３によりレスペック等に貼付された特定用情報を読み取り可能な位置に届くようにビーコンを送信する。検出部１７３は、例えば、ビーコン送信装置から約５０センチメートルの範囲内において通信部１５によりビーコンを受信する。
【００４０】
また、検出部１７３は、状態検出センサ１４により検出される振動に基づいて、携帯端末１のユーザが歩行中であるか否かを判別する。例えば、検出部１７３は、所定範囲の周期の振動が検出される場合に、ユーザが歩行中であると判別する。検出部１７３は、表示部１１が電子書籍コンテンツの表示を開始した後においてユーザが歩行中であることを検出した累積時間を測定し、無線通信回線を介して、累積時間を通信部１５によりサーバ３へ送信させる。
【００４１】
通信制御部１７４は、通信部１５を制御し、サーバ３又は図示しないビーコンとの通信を行う。例えば、通信制御部１７４は、操作受付部１７１がユーザによる電子書籍コンテンツの閲覧操作を受け付けた場合に、電子書籍コンテンツのページデータを取得するためのコンテンツ取得要求を通信部１５によりサーバ３へ送信させる。
【００４２】
表示制御部１７５は、表示部１１の表示制御を行う。表示制御部１７５は、携帯端末１が書籍情報を取得できる位置に存在することを検出部１７３が検出した場合に、書籍情報を取得するための画面を表示させる。書籍情報を取得するための画面は、例えば、特定用情報を読み取るためのカメラ１３の撮影用画面である。また、表示制御部１７５は、取得部１７２が取得した決済用情報Ｃ１を表示部１１に表示させる。
【００４３】
また、表示制御部１７５は、操作受付部１７１が閲覧操作を受け付けたことに応じて、取得部１７２が取得した電子書籍コンテンツを表示部１１に表示させる。例えば、表示制御部１７５は、操作受付部１７１がユーザによる電子書籍コンテンツの閲覧操作を受け付けた場合に、この閲覧操作によって指定されたページを表示させる。また、ユーザが歩いている状態では、転倒防止の観点から、電子書籍コンテンツの表示を停止させることが望ましい。そこで、表示制御部１７５は、ユーザが歩いていることを検出部１７３が検出した場合に、電子書籍コンテンツの表示部１１への表示を停止させる。
【００４４】
［決済端末２］
図４は、図１の決済端末２の構成を示す図である。決済端末２は、表示部２１と、読み取り部２２と、操作部２３と、受信部２４と、送信部２５と、記憶部２６と、制御部２７とを有する。表示部２１は、制御部２７から入力される表示用データを表示するディスプレイである。読み取り部２２は、一以上の電子書籍コンテンツの貸し出し料金を決済するための決済用情報Ｃ１を光学的に読み取る読取装置であり、例えば、バーコードリーダである。読み取り部２２は、例えば、携帯端末１の表示部１１により表示された決済用情報Ｃ１を読み取る。
【００４５】
操作部２３は、店舗のスタッフが操作入力を行うための操作キーである。操作部２３は、店舗のスタッフの操作内容に応じた信号を制御部２７に通知する。受信部２４及び送信部２５は、ネットワーク４を介して、サーバ３と通信する。記憶部２６は、ＲＯＭ及びＲＡＭ等を含む記憶媒体である。記憶部２６は、制御部２７が実行するプログラムを記憶している。また、記憶部２６は、制御部２７のワークメモリとして使用される。
【００４６】
制御部２７は、例えばＣＰＵであり、記憶部２６に記憶されたプログラムを実行することにより、各種の機能を実行する。制御部２７は、読み取り部２２により読み取られた決済用情報Ｃ１を解析し、この決済用情報Ｃ１に含まれている一以上の書籍情報と、これらの書籍情報に対応する貸し出し料金とを取得する。また、制御部２７は、取得した貸し出し料金の合計を表示部２１に表示させる。さらに、制御部２７は、決済用情報Ｃ１に対応する貸し出し料金の合計の支払いが完了した場合に、貸し出し料金の支払いが完了したことを示す決済完了情報Ｐ１をサーバ３へ送信部２５によりネットワーク４を介して送信させる。
【００４７】
［サーバ３］
図５は、図１のサーバ３の構成を示す図である。サーバ３は、送信部３１と、受信部３２と、記憶部３３と、制御部３４とを有する。制御部３４は、要求受付部３４１と、許可制御部３４２と、通信制御部３４３とを有する。
【００４８】
送信部３１及び受信部３２は、ネットワーク４を介して、携帯端末１及び決済端末２と通信する。記憶部３３は、ＲＯＭ及びＲＡＭ等を含む記憶媒体である。記憶部３３は、多数の電子書籍コンテンツを保持している。また、制御部３４が実行するプログラムを記憶しており、制御部３４のワークメモリとして使用される。
【００４９】
制御部３４は、例えばＣＰＵであり、記憶部３３に記憶されたプログラムを実行することにより、各種の機能を実行する。要求受付部３４１は、受信部３２が携帯端末１から受信した決済用情報要求を受け付ける。また、要求受付部３４１は、受け付けた決済用情報要求に応答して、決済用情報Ｃ１を生成する。より詳しくは、要求受付部３４１は、決済用情報要求に含まれる書籍情報に対応する電子書籍コンテンツの貸し出し料金を記憶部３３から読み出し、書籍情報と、貸し出し料金とを格納させたパターン画像からなる決済用情報Ｃ１を生成する。
【００５０】
要求受付部３４１は、複数の電子書籍コンテンツについて決済用情報が要求されている場合には、複数の電子書籍コンテンツに対応する書籍情報と、貸し出し料金と格納させた決済用情報Ｃ１を生成する。要求受付部３４１は、生成した決済用情報Ｃ１を送信部３１により携帯端末１へ送信させる。また、要求受付部３４１は、受信部３２が携帯端末１から受信したコンテンツ取得要求を受け付け、通信制御部３４３に通知する。
【００５１】
許可制御部３４２は、ユーザが電子書籍コンテンツを閲覧可能な所定の閲覧可能時間を決定する。許可制御部３４２は、受信部３２が決済端末２から決済完了情報Ｐ１を受信した場合に、閲覧可能時間が経過するまでの間、携帯端末１の表示部１１が決済完了情報Ｐ１に対応する一以上の電子書籍コンテンツを表示することを許可する。閲覧可能時間は、例えば、数時間である。閲覧可能時間は、例えば、取得部１７２が電子書籍コンテンツのページデータを最初にサーバ３から通信部１５により取得したときに開始する。
【００５２】
また、許可制御部３４２は、電子書籍コンテンツに関連付けられたページ又はページ数が閲覧されるまでの間、携帯端末１が電子書籍コンテンツを表示することを許可してもよい。例えば、電子書籍コンテンツによって、試し読みができるページ数が割り当てられている。許可制御部３４２は、試し読みができるページ数を携帯端末１の表示部１１が表示するまでの間、携帯端末１が電子書籍コンテンツを表示することを許可する。許可制御部３４２は、電子書籍コンテンツに関連付けて定められた複数のページが閲覧されるまでの間、携帯端末１が電子書籍コンテンツを表示することを許可してもよい。このように、許可制御部３４２が、電子書籍コンテンツに応じて閲覧可能時間や閲覧可能ページを制御することで、例えば、電子書籍コンテンツの人気の高さに応じて、購入につながりやすい貸し出し条件でユーザに閲覧を許可することが可能になる。
【００５３】
また、携帯端末１の表示制御部１７５は、ユーザが歩いていることを検出部１７３が検出した場合に、電子書籍コンテンツの表示部１１への表示を停止させる。このため、閲覧可能時間は、ユーザが歩いている間、実質的に減少する。そこで、許可制御部３４２は、携帯端末１の表示部１１が電子書籍コンテンツの表示を開始した後に携帯端末１のユーザが歩いていることを検出部１７３が検出した累積時間を携帯端末１から受信部３２により受信し、この累積時間を閲覧可能時間に加算する。
【００５４】
また、ユーザが店舗において貸し出し料金を決済した後、電子書籍コンテンツを直ちに閲覧することができないことがある。このため、表示部１１が決済完了情報Ｐ１に対応する電子書籍コンテンツを表示する前の段階では、閲覧可能時間は経過しない。また、許可制御部３４２は、表示部１１が電子書籍コンテンツを表示する前の段階において、所定の開封可能時間が経過するまでの間、表示部１１がこの電子書籍コンテンツの表示を開始することを許可している。開封可能時間は、閲覧可能時間より長い期間であり、例えば、約２週間である。開封可能期間は、例えば、決済端末２の制御部２７が電子書籍コンテンツの貸し出し料金の支払いが完了したことを示す決済完了情報Ｐ１をサーバ３へ送信部２５により送信させたときに開始する。
【００５５】
図６は、電子書籍コンテンツを閲覧可能な期間を説明するためのタイムチャートである。図６（ａ）に示すように、閲覧可能時間は、電子書籍コンテンツの貸し出し料金の支払い完了後、取得部１７２が、電子書籍コンテンツのページデータを最初にサーバ３から通信部１５により取得したときに開始する。一方、開封可能時間は、決済端末２の制御部２７が電子書籍コンテンツの貸し出し料金の支払いが完了したことを示す決済完了情報Ｐ１をサーバ３へ送信部２５により送信させたときに開始する。開封可能時間は、閲覧可能時間よりも長い期間である。
【００５６】
ユーザが歩行中であると検出部１７３において判別した場合、表示制御部１７５は、電子書籍コンテンツの表示部１１への表示を停止させる。この場合、図６（ｂ）に示すように、許可制御部３４２は、携帯端末１の表示部１１が電子書籍コンテンツの表示を開始した後において携帯端末１のユーザが歩いていることを検出部１７３が検出した累積時間を閲覧可能時間に加算する。
【００５７】
なお、ユーザは、開封可能時間の直前に電子書籍コンテンツの閲覧を開始する場合がある。このような場合、図６（ｃ）に示すように、閲覧可能時間は、開封可能時間よりも遅く終了することになる。許可制御部３４２は、開封可能期間の終了後においても閲覧可能時間が終了するまでの間、携帯端末１の表示部１１が電子書籍コンテンツを表示することを許可する。
【００５８】
続いて、図５のサーバ３の通信制御部３４３の動作について説明する。通信制御部３４３は、ネットワーク４及び受信部３２を介して、決済端末２から決済用情報Ｃ１を受信し、携帯端末１から電子書籍コンテンツの閲覧を要求するコンテンツ取得要求を受信する。また、通信制御部３４３は、記憶部３３に保持されている電子書籍コンテンツを読み出して、読み出した電子書籍コンテンツを、送信部３１及びネットワーク４を介して携帯端末１に送信する。
【００５９】
図７は、通信制御部３４３が電子書籍コンテンツのページデータを送信する処理のフローチャートである。以下、図７のフローチャートを参照して、通信制御部３４３の動作を説明する。図７のステップＳ１１〜Ｓ１７は、サーバ３の通信制御部３４３の動作の一例を示し、携帯端末１の通信制御部１７４がサーバ３との間で通信を開始したときに、この処理手順が開始される。
【００６０】
まず、サーバ３の通信制御部３４３は、携帯端末１からコンテンツ取得要求を受信する（Ｓ１１）。次に、通信制御部３４３は、このコンテンツ取得要求が、コンテンツ取得要求により特定される閲覧対象の電子書籍コンテンツに対する最初の取得要求であるか否かを判定する（Ｓ１２）。通信制御部３４３は、受信したコンテンツ取得要求が、閲覧対象の電子書籍コンテンツについての最初の取得要求である場合（Ｓ１２のＹｅｓ）、開封可能時間が経過する前にコンテンツ取得要求を受信したか否かを判定する（Ｓ１３）。
【００６１】
通信制御部３４３は、開封可能時間が経過する前にコンテンツ取得要求を受信した場合には（Ｓ１３のＹｅｓ）、許可制御部３４２は、対象の電子書籍コンテンツの閲覧可能時間の計時を開始させる（Ｓ１４）。また、通信制御部３４３は、コンテンツ取得要求により要求された電子書籍コンテンツのページデータを記憶部３３から読み出して携帯端末１へ送信し（Ｓ１５）、ページデータを送信する処理を終了する。一方、通信制御部３４３は、ステップＳ１３の判定において、開封可能時間が経過した後に携帯端末１からコンテンツ取得要求を受信した場合には（Ｓ１３のＮｏ）、電子書籍コンテンツのページデータを送信させない。
【００６２】
ステップＳ１２の判定において、通信制御部３４３は、受信したコンテンツ取得要求が閲覧対象の電子書籍コンテンツについての２回目以降の取得要求である場合には（Ｓ１２のＮｏ）、閲覧可能時間が経過する前にコンテンツ取得要求を受信したか否かを判定する（Ｓ１６）。通信制御部３４３は、閲覧可能時間が経過する前に受信部３２が携帯端末１からコンテンツ取得要求を受信した場合には（Ｓ１６のＹｅｓ）、コンテンツ取得要求により要求された電子書籍コンテンツのページデータを記憶部３３から読み出して、読み出したページデータを携帯端末１へ送信する（Ｓ１７）。一方、通信制御部３４３は、閲覧可能時間が経過した後にコンテンツ取得要求を受信した場合には（Ｓ１６のＮｏ）、電子書籍コンテンツのページデータを送信しない。
【００６３】
このような構成を採用することにより、携帯端末１の表示制御部１７５は、取得部１７２が電子書籍コンテンツを取得してから閲覧可能時間が経過するまでの間、操作受付部１７１が閲覧操作を受け付けたことに応じて、電子書籍コンテンツを表示部１１に表示させるので、ユーザは、閲覧可能時間の間、電子書籍コンテンツを閲覧することができる。このため、ユーザは、紙媒体の書籍の貸し出しと同じように、店舗において電子書籍コンテンツをレンタルすることができる。また、ユーザは、電子書籍コンテンツを店舗へ返却する必要がない。
【００６４】
［電子書籍レンタルシステムＳにおける動作シーケンス］
図８は、電子書籍レンタルシステムＳにおける動作シーケンスを示す図である。この動作シーケンスは、図示しないビーコン送信装置から送信されるビーコンを通信部１５が受信することにより、携帯端末１が書籍情報を取得できる位置に存在することを検出部１７３が検出したときに開始される。
【００６５】
まず、カメラ１３は、レスペックＡ１に貼付された特定用情報を読み取る（Ｓ２１）。取得部１７２は、カメラ１３により読み取った特定用情報を解析することにより、この特定用情報に対応する書籍情報を取得する（Ｓ２２）。また、取得部１７２は、書籍情報に対応する電子書籍コンテンツを取得するための決済用情報Ｃ１を要求する決済用情報要求をサーバ３へ通信部１５により送信する。サーバ３の要求受付部３４１は、受信部３２が携帯端末１から受信した決済用情報要求を受け付ける。また、要求受付部３４１は、受け付けた決済用情報要求に応答して、決済用情報Ｃ１を生成し、この決済用情報Ｃ１を送信部３１により携帯端末１へ送信させる。
【００６６】
次に、表示制御部１７５は、通信部１５が受信した決済用情報Ｃ１を表示部１１に表示させ、決済端末２の読み取り部２２は、この決済用情報Ｃ１を読み取り、制御部２７は、決済用情報Ｃ１に格納されている貸し出し料金を取得する。制御部２７は、この貸し出し料金の支払いが完了した後に（Ｓ２３）、貸し出し料金の支払いが完了したことを示す決済完了情報Ｐ１をサーバ３へ送信部２５によりネットワーク４を介して送信させる。
【００６７】
サーバ３の許可制御部３４２は、受信部３２が決済端末２から決済完了情報Ｐ１を受信した場合に、携帯端末１の表示部１１が電子書籍コンテンツを表示することを許可することを通知する閲覧許可通知を送信部３１により携帯端末１へ送信する。
【００６８】
携帯端末１の取得部１７２は、表示部１１に電子書籍コンテンツの表示を開始させる操作を操作受付部１７１において受け付けた場合に、電子書籍コンテンツのページデータを取得するためのコンテンツ取得要求を通信部１５によりサーバ３へ送信させる。サーバ３の通信制御部３４３は、コンテンツ取得要求により要求された電子書籍コンテンツのページデータを記憶部２６から読み出して携帯端末１へ送信部３１によりネットワーク４を介して送信させる。表示制御部１７５は、電子書籍コンテンツを表示部１１に表示させる。電子書籍コンテンツの閲覧中において操作受付部１７１が次のページを表示させる操作を受け付ける度に、取得部１７２は、コンテンツ取得要求を通信部１５によりサーバ３へ送信する。サーバ３の通信制御部３４３は、上述のとおり、コンテンツ取得要求により要求された電子書籍コンテンツのページデータを記憶部３３から読み出して、読み出したページデータを、送信部３１に携帯端末１へ送信させる。
【００６９】
本実施の形態によれば、表示制御部１７５は、所定の閲覧可能時間が経過するまでの間、電子書籍コンテンツを表示部１１に表示させるので、ユーザは、紙媒体の書籍のレンタルと同じように、店舗において電子書籍コンテンツをレンタルすることができる。また、紙媒体の書籍と異なり、他のユーザが同一の電子書籍コンテンツをレンタルしていることに起因して、ユーザは、電子書籍コンテンツのレンタルを待たされることがない。さらに、ユーザは、レンタルした電子書籍コンテンツを返却する必要がない。
【００７０】
また、例えば、ユーザは、ネットワーク上において電子書籍を購入する場合、クレジットカード等の個人情報を予め登録する必要があり、登録手続きが煩雑であった。これに対し、本実施の形態によれば、ユーザは、貸し出し料金を店舗において支払うので、ネットワーク上において決済する必要がなく、登録手続きの煩雑さを軽減することができる。
【００７１】
また、本実施の形態によれば、取得部１７２は、カメラ１３により読み取った特定用情報に対応する書籍情報を取得するので、ユーザは、カメラ１３を用いて特定用情報を読み取ることにより、貸し出しを希望する電子書籍コンテンツの書籍情報を取得する作業を簡略化することができる。
【００７２】
また、本実施の形態によれば、携帯端末１が書籍情報を取得できる位置に存在することを検出部１７３において検出した場合に、書籍情報を取得するための画面を表示部１１に表示させるので、ユーザは、店舗において書籍情報を取得できる位置を容易に把握することができる。
【００７３】
また、本実施の形態によれば、表示制御部１７５は、携帯端末１のユーザが歩いていることを検出部１７３において検出した場合に、電子書籍コンテンツの表示部１１への表示を停止するので、ユーザが歩きながら電子書籍コンテンツを閲覧することに起因するユーザの転倒等を抑制することができる。また、許可制御部３４２は、表示部１１が電子書籍コンテンツの表示を開始した後においてユーザが歩行中であることを検出部１７３において検出した累積時間を閲覧可能時間に加算するので、ユーザが歩いている間に閲覧可能時間が減少することを抑制することができる。
【００７４】
また、本実施の形態によれば、許可制御部３４２は、携帯端末１の表示部１１が選択された書籍情報に対応する電子書籍コンテンツを表示する前において、閲覧可能時間より長い開封可能時間が経過するまでの間、表示部１１が当該電子書籍コンテンツの表示を開始することを許可する。ユーザが電子書籍コンテンツの閲覧を開始することが可能な時期を制限することにより、例えば、電子書籍コンテンツの販売等のサービスとの差別化を図ることができる。
【００７５】
＜実施の形態２＞
実施の形態１では、取得部１７２が、カメラ１３により読み取られた特定用情報に含まれる一つの電子書籍コンテンツに対応する書籍情報を取得する場合の例について説明した。これに対し、本実施の形態では、表示制御部１７５が、カメラ１３により読み取られた一つの特定用情報に対応する複数の電子書籍コンテンツから一以上の電子書籍コンテンツを選択するための選択画面を表示部１１に表示させる場合の例について説明する。
【００７６】
［携帯端末１の動作］
図９は、本実施の形態の携帯端末１の動作を説明するためのフローチャートである。この処理手順は、図示しないビーコン送信装置から送信されるビーコンを通信部１５が受信することにより、携帯端末１が書籍情報を取得できる位置に存在することを検出部１７３が検出したときに開始される。
【００７７】
まず、カメラ１３は、レスペックＡ１に貼付された特定用情報を読み取る（Ｓ３１）。次に、表示制御部１７５が、貸し出しの対象となっている複数の電子書籍コンテンツから一以上の電子書籍コンテンツを選択するための選択画面を表示する（Ｓ３２）。ここでは、表示制御部１７５は、カメラ１３により読み取られた特定用情報に対応する電子書籍コンテンツや、この電子書籍コンテンツに関連する一以上の電子書籍コンテンツから、一以上の電子書籍コンテンツを選択するための選択画面を表示部１１に表示させる。例えば、表示制御部１７５は、選択画面において特定用情報に対応する電子書籍コンテンツと同じ著者名又は同じタイトルの一以上の電子書籍コンテンツを表示させる。
【００７８】
操作受付部１７１が選択画面において一以上の電子書籍コンテンツ（例えば、全３０巻のうちの１巻〜５巻）を選択する操作を受け付けた場合に（Ｓ３３）、取得部１７２は、選択された一以上の電子書籍コンテンツの書籍情報を操作受付部１７１から取得する。取得部１７２は、これらの電子書籍コンテンツの貸し出し料金を一括して決済するための決済用情報Ｃ１を要求する決済用情報要求を生成し、この決済用情報要求をサーバ３へ通信部１５により送信する。
【００７９】
さらに、取得部１７２は、サーバ３が決済用情報要求に応答して送信した決済用情報Ｃ１を通信部１５により受信させる。さらに、表示制御部１７５は、取得部１７２が取得した決済用情報Ｃ１を表示部１１に表示させる（Ｓ３４）。制御部２７は、この決済用情報Ｃ１に対応する貸し出し料金の支払いが完了した場合に（Ｓ３５）、貸し出し料金の支払いが完了したことを示す決済完了情報Ｐ１を、送信部２５によりサーバ３へ送信させる。さらに、操作受付部１７１は、ユーザによる電子書籍コンテンツの閲覧操作を監視する（Ｓ３６）。操作受付部１７１が閲覧操作を受け付ける度に（Ｓ３６のＹｅｓ）、取得部１７２が、電子書籍コンテンツのページデータをサーバ３から通信部１５を介して取得し（Ｓ３７）、表示制御部１７５が、閲覧操作によって指定されたページを表示させる。一方、操作受付部１７１が閲覧操作を受け付けなければ（Ｓ３６のＮｏ）、処理を終了する。
【００８０】
本実施の形態によれば、表示制御部１７５は、読み取った一つの特定用情報に対応する複数の電子書籍コンテンツから一以上の電子書籍コンテンツを選択するための選択画面を表示部１１に表示させるので、少数の特定用情報を陳列することにより、ユーザに貸し出しの対象となっている多数の電子書籍コンテンツを提示することができる。このため、特定用情報を陳列するためのスペースを削減することができるので、多数の巻から構成されるマンガの貸し出しに好適である。
【００８１】
なお、本実施の形態では、検出部１７３が、図示しないビーコン送信装置から送信されるビーコンを通信部１５において受信することにより、携帯端末１が書籍情報を取得できる位置から所定の範囲内に存在することを検出した場合に、書籍情報を取得するための画面を表示させる例について説明した。しかしながら、本発明は、これに限定されない。検出部１７３は、例えば、ＧＰＳ（Global Positioning System）の衛星から受信した電波に基づいて、書籍を貸し出す店舗から所定の範囲内に携帯端末１が存在することを検出してもよい。所定の範囲は、例えば、操作部１２を介してユーザが指定する範囲である。
【００８２】
この場合、表示制御部１７５は、ユーザが書籍を貸し出す店舗から所定の範囲内にいることを検出部１７３が検出したことに応じて、貸し出しの対象となっている複数の電子書籍コンテンツから一以上の電子書籍コンテンツを選択するための選択画面を表示部１１に表示させる。このようにすることで、ユーザが予め設定した店舗に近づくと、書籍をレンタルするための画面が自動的に携帯端末１に表示されるので、ユーザが操作の手間を省くことができる。
【００８３】
＜実施の形態３＞
実施の形態１及び２では、許可制御部３４２が、閲覧可能時間が経過するまでの間、一以上の電子書籍コンテンツを表示することを許可する場合の例について説明した。これに対し、本実施の形態では、許可制御部３４２が、閲覧可能時間を延長する場合の例について説明する。
【００８４】
図１０は、本実施の形態の電子書籍レンタルシステムにおける動作シーケンスを示す図である。この動作シーケンスは、電子書籍コンテンツの閲覧可能時間が経過した後に開始される。
【００８５】
まず、許可制御部３４２は、閲覧可能時間を延長するための決済用情報Ｃ２を生成する。許可制御部３４２は、電子書籍コンテンツの閲覧可能時間を延長するための延長料金を決済用情報Ｃ２に格納する。閲覧可能時間の延長期間は、例えば、１か月であるが、閲覧可能時間を無期限とする、つまり、電子書籍コンテンツを購入した場合と同じ状態とする構成であってもよい。また、許可制御部３４２は、閲覧可能時間が延長される場合に、開封可能時間も延長する。
【００８６】
さらに、許可制御部３４２は、生成した決済用情報Ｃ２を送信部３１により携帯端末１へ送信する。表示制御部１７５は、通信部１５が受信した決済用情報Ｃ２を表示部１１に表示させ、決済端末２の読み取り部２２は、この決済用情報Ｃ２を読み取り、制御部２７は、決済用情報Ｃ２に格納されている延長料金を取得し、表示部２１に表示させる。制御部２７は、この延長料金の支払いが完了した場合に（Ｓ４１）、延長料金の支払いが完了したことを示す決済完了情報Ｐ２を、送信部２５によりサーバ３へ送信させる。
【００８７】
サーバ３の許可制御部３４２は、受信部３２が決済端末２から決済完了情報Ｐ２を受信したことに応じて、携帯端末１の表示部１１が電子書籍コンテンツを表示できる時間を延長し、閲覧可能時間を延長したことを通知する延長許可通知を送信部３１により携帯端末１へ送信する。この場合に、許可制御部３４２は、閲覧可能時間を延長した電子書籍コンテンツに関連付けられた他の電子書籍コンテンツを表示部１１が所定の期間だけ表示することをさらに許可する。
【００８８】
その後、操作受付部１７１が電子書籍の閲覧操作を受け付ける度に、取得部１７２は、コンテンツ取得要求を通信部１５によりサーバ３へ送信する。サーバ３の通信制御部３４３は、コンテンツ取得要求により要求された電子書籍コンテンツのページデータを記憶部２６から読み出して携帯端末１へ送信部３１によりネットワーク４を介して送信させる。
【００８９】
なお、許可制御部３４２は、決済用情報Ｃ２が示す延長料金を、決済用情報Ｃ１が示す延長前の貸し出し料金（以下、通常料金という）よりも高く設定してもよい。また、許可制御部３４２は、通常料金と延長料金との和が、電子書籍コンテンツの購入料金よりも高く設定してもよい。このように、延長料金を通常料金よりも高くすることで、ユーザが電子書籍コンテンツを購入するように動機付けることができる。
【００９０】
本実施の形態によれば、閲覧可能時間を延長したいというユーザのニーズに応じて、許可制御部３４２が、閲覧可能時間を延長することができる。また、閲覧可能時間を延長するユーザは、リピーターとなる可能性が比較的高いと予想されることから、閲覧可能時間を延長したユーザに対し、延長対象の電子書籍コンテンツに関連付けられた他の電子書籍コンテンツの閲覧を許可することにより、電子書籍コンテンツの貸し出しを効率よくプロモーションすることができる。
【００９１】
＜実施の形態４＞
実施の形態１〜３では、携帯端末１が書籍情報を取得できる位置に存在することを検出部１７３において検出した場合に、表示制御部１７５が、特定用情報を読み取るためのカメラ１３の撮影用画面を表示させる場合の例について説明した。これに対し、本実施の形態では、携帯端末１が書籍情報を取得できる位置に存在することを検出部１７３において検出した場合に、表示制御部１７５が、携帯端末１が存在する店舗において貸し出しの対象となっている電子書籍コンテンツから、一以上の電子書籍コンテンツを選択するための選択画面を表示部１１に表示させる場合の例について説明する。
【００９２】
［実施の形態４の電子書籍レンタルシステムＳにおける動作シーケンス］
図１１は、本実施の形態の電子書籍レンタルシステムにおける動作シーケンスを示す図である。ステップＳ５３の支払い処理以降の処理手順については、図８のステップＳ２３の支払い処理以降の処理手順と同一であるため、説明を省略する。ここでは、店舗に配置された図示しないビーコン送信装置は、店舗ごとに割り当てられた店舗ＩＤを含むビーコンを送信する。この処理手順は、携帯端末１がビーコン送信装置から送信されるビーコンを受信可能な位置に移動したときに開始される。
【００９３】
検出部１７３は、ビーコン送信装置から送信されるビーコンを通信部１５により受信し、このビーコンに基づいて、店舗ＩＤを取得する（Ｓ５１）。取得部１７２は、店舗ＩＤを通信部１５によりサーバ３へ送信する。サーバ３の要求受付部３４１は、受信部３２が受信した店舗ＩＤを受け付け、この店舗ＩＤに基づいて、携帯端末１が存在する店舗を特定し、当該店舗において貸し出しの対象となっている電子書籍コンテンツの書籍情報を記憶部３３から読み出す。
【００９４】
要求受付部３４１は、読み出した書籍情報を送信部３１により携帯端末１へ送信する。
携帯端末１の取得部１７２は、通信部１５が受信した書籍情報を取得し、表示制御部１７５は、取得した書籍情報に基づいて、携帯端末１が存在する店舗において貸し出しの対象となっている電子書籍コンテンツから一以上の電子書籍コンテンツを選択するための選択画面を表示部１１に表示させる（Ｓ５２）。
【００９５】
また、取得部１７２は、選択画面において選択された１以上の電子書籍コンテンツを取得するための決済用情報Ｃ１を要求する決済用情報要求を、通信部１５によりサーバ３へ送信する。サーバ３の要求受付部３４１は、受信部３２が携帯端末１から受信した決済用情報要求を受け付ける。また、要求受付部３４１は、受け付けた決済用情報要求に応答して、決済用情報Ｃ１を生成し、この決済用情報Ｃ１を送信部３１により携帯端末１へ送信させる。
【００９６】
本実施の形態によれば、取得部１７２は、携帯端末１が存在する店舗において貸し出しの対象となっている電子書籍コンテンツの書籍情報をサーバ３から取得する。このため、ユーザは、この店舗において貸し出しの対象となっている電子書籍コンテンツを把握し易い。
【００９７】
なお、実施の形態１〜４では、許可制御部３４２が、２以上の電子書籍コンテンツに同一の閲覧可能時間を割り当てる場合の例について説明した。しかしながら、本発明はこれに限定されない。例えば、サーバ３の記憶部３３が、２以上の電子書籍コンテンツを異なる所定の閲覧可能時間に関連付けて保持してもよい。
【００９８】
また、実施の形態１〜４では、操作受付部１７１が、電子書籍コンテンツの閲覧操作を受け付ける度に、取得部１７２が電子書籍コンテンツの数ページ分のページデータをサーバ３から通信部１５を介して受信する場合の例について説明した。しかしながら、本発明は、これに限定されない。例えば、取得部１７２が、電子書籍コンテンツの全ページ分のページデータをサーバ３から通信部１５を介して一括して受信してもよい。この場合、取得部１７２は、電子書籍コンテンツのページデータとともに、サーバ３から閲覧可能時間を取得し、閲覧可能時間を記憶部１６へ格納する。表示制御部１７５は、閲覧可能時間が経過するまでの間、電子書籍コンテンツを表示部１１に表示させることを許可するものとする。
【００９９】
以上、本発明の実施の形態、及びいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また、本発明の技術的範囲は上記実施の形態に記載の範囲には限定されず、その要旨の範囲内で種々の変形及び変更が可能である。
【符号の説明】
【０１００】
１・・・携帯端末
２・・・決済端末
３・・・サーバ
４・・・ネットワーク
１１，２１・・・表示部
１２，２３・・・操作部
１３・・・カメラ
１４・・・状態検出センサ
１５・・・通信部
１６，２６，３３・・・記憶部
１７，２７，３４・・・制御部
２２・・・読み取り部
２４，３２・・・受信部
２５，３１・・・送信部
１７１・・・操作受付部
１７２・・・取得部
１７３・・・検出部
１７４，３４３・・・通信制御部
１７５・・・表示制御部
３４１・・・要求受付部
３４２・・・許可制御部
Ａ１・・・レスペック
Ａ２・・・トークン
Ｃ１，Ｃ２・・・決済用情報
Ｏ・・・開口部
Ｐ１，Ｐ２・・・決済完了情報
Ｓ・・・電子書籍レンタルシステム
【図１】
2018139056.tif 000003
【図２】
2018139056.tif 000004
【図３】
2018139056.tif 000005
【図４】
2018139056.tif 000006
【図５】
2018139056.tif 000007
【図６】
2018139056.tif 000008
【図７】
2018139056.tif 000009
【図８】
2018139056.tif 000010
【図９】
2018139056.tif 000011
【図１０】
2018139056.tif 000012
【図１１】
2018139056.tif 000013